(57)【要約】【課題】容易に伸縮可能であり、長くして被吊下げ物を吊下げ易くし、被吊下げ物を吊下げた後は短くして、高い位置に掛け止めた状態にすることができる掛け止め具、及び該掛け止め具を有する吊下げ具を提供する。【解決手段】吊下げ具１１の掛け止め具１は、外筒３１と、外筒３１に延出可能に内嵌された内筒３２，３３と、内筒３３の端部に取り付けられたフック２とを備える。【選択図】図２
2020018564.tif 000002
【特許請求の範囲】
【請求項１】
外筒と、
該外筒に延出可能に内嵌された内筒と、
該内筒の端部に取り付けられたフックと
を備える掛け止め具。
【請求項２】
前記内筒を複数有し、
複数の内筒は相互に嵌合されている請求項１に記載の掛け止め具。
【請求項３】
前記外筒の周面の一部分に、該一部分を中心として揺動可能に支持され、
第１の位置で前記内筒に係合し、
第２の位置で係合が解除される
ロック部材を備える請求項１又は２に記載の掛け止め具。
【請求項４】
前記ロック部材を前記第１の位置に付勢するバネを備える請求項３に記載の掛け止め具。
【請求項５】
前記一部分で、前記ロック部材に設けられた把持部材を備える請求項３又は４に記載の掛け止め具。
【請求項６】
前記内筒の周面の端部に、外向きに突出する突起部を有する請求項１から５までのいずれか１項に記載の掛け止め具。
【請求項７】
前記外筒の周面における、径方向に対向する部分に、外向きに張り出す張出部が設けられている請求項１から６までのいずれか１項に記載の掛け止め具。
【請求項８】
請求項７に記載の掛け止め具と、
該掛け止め具の張出部が取り付けられ、複数の被吊下げ物が吊下げ保持される保持部材と
を備える吊下げ具。
【発明の詳細な説明】
【技術分野】
【０００１】
本発明は物干し竿等の棒体に掛け止めされる掛け止め具、及び該掛け止め具を備え、洗濯物等の被吊下げ物を吊下げ保持する吊下げ具に関する。
【背景技術】
【０００２】
特許文献１等の従来の物干しハンガー等の吊下げ具は、物干し竿に掛け止めるフックと、フレーム及び洗濯挟み等からなり、洗濯物等の被吊下げ物を吊下げ保持する保持部とを備える。フックは、一対の挟持片を開閉自在に相互に取着し、挟持片をバネにより常時閉じる方向に付勢してなる。
【０００３】
この吊下げ具を物干し竿等の棒体に吊下げる際には、フックの各挟持片の各下端部をバネの力に抗して手で強く把持し、挟持片が開いた状態で吊下げ具を持上げ、開口した挟持片間に物干し竿を挟持させる。この構成の掛け止め具によれば、物干し竿から外れて落下することが防止されている。
【先行技術文献】
【特許文献】
【０００４】
【特許文献１】特開２００３−２４６９５号公報
【発明の概要】
【発明が解決しようとする課題】
【０００５】
低い位置において、特許文献１の吊下げ具に被吊下げ物が吊下げ保持されている場合、吊下げ具の下を通行することはできない。これを防ぐために、物干し竿を高い位置に配置する場合、踏み台を要したりし、掛け止め具を物干し竿に掛け止めする作業は煩雑である。
【０００６】
本発明は斯かる事情に鑑みてなされたものであり、容易に伸縮可能であり、長くして被吊下げ物を吊下げ易くし、被吊下げ物を吊下げた後は短くして、高い位置に掛け止めた状態にすることができる掛け止め具、及び該掛け止め具を有する吊下げ具を提供することを目的とする。
【課題を解決するための手段】
【０００７】
本発明の一態様に係る掛け止め具は、外筒と、該外筒に延出可能に内嵌された内筒と、該内筒の端部に取り付けられたフックとを備える。
【０００８】
上記構成によれば、フックを物干し竿等の被掛け止め対象に掛け止め、外筒から内筒を延出して掛け止め具を伸ばした状態で、外筒に被吊下げ物を吊下げる。その後、内筒を外筒に収容し、掛け止め具を短くして外筒を高い位置に上げることができる。容易に伸縮可能であり、被掛け止め対象に掛け止め易く、被吊下げ物を吊下げ易く、吊下げた後は掛け止め具を短くできるので邪魔にならず、通行の妨げにならない。
【０００９】
上述の掛け止め具は、前記内筒を複数有し、複数の内筒は相互に嵌合されていてもよい。
【００１０】
上記構成によれば、内筒は外れない状態で、掛け止め具をより長くすることができる。
【００１１】
上述の掛け止め具は、前記外筒の周面の一部分に、該一部分を中心として揺動可能に支持され、第１の位置で前記内筒に係合し、第２の位置で係合が解除されるロック部材を備えてもよい。
【００１２】
上記構成によれば、第１の位置で内筒が外筒から延出するのが禁止され、第２の位置で内筒が外筒から延出できるようになる。簡単な構成で掛け止め具を伸縮できる。
【００１３】
上述の掛け止め具は、前記ロック部材を前記第１の位置に付勢するバネを備えてもよい。
【００１４】
上記構成によれば、ロック部材を前記第１の位置に固定できる。
【００１５】
上述の掛け止め具は、前記一部分で、前記ロック部材に設けられた把持部材を備えてもよい。
【００１６】
上記構成によれば、把持部材の揺動によりロック部材を揺動させることができる。
【００１７】
上述の掛け止め具は、前記内筒の周面の端部に、外向きに突出する突起部を有してもよい。
【００１８】
上記構成によれば、内筒が外筒から延出したときに、内筒が外筒内に入り込むのが抑制される。
【００１９】
上述の掛け止め具は、前記外筒の周面における、径方向に対向する部分に、外向きに張り出す張出部が設けられてもよい。
【００２０】
上記構成によれば、張出部に被吊下げ物を係止したり、張出部を被吊下げ物が吊下げ保持される保持部材に固定することができる。
【００２１】
本発明の一態様の吊下げ具は、上述のいずれかの掛け止め具と、該掛け止め具の張出部が取り付けられ、複数の被吊下げ物が吊下げ保持される保持部材とを備える。
【００２２】
上記構成によれば、フックを物干し竿等の被掛け止め対象に掛け止め、外筒から内筒を延出して掛け止め具を伸ばしたとき、保持部材が下がるので、被吊下げ物を掛けやすくなる。
その後、内筒を外筒に収容し、掛け止め具を短くすることにより、吊下げ具全体が上がるので、通行の妨げにならない。被吊下げ物が洗濯物である場合、乾きも良くなる。
【発明の効果】
【００２３】
本発明の掛け止め具によれば、容易に伸縮可能であり、長くして被吊下げ物を吊下げ易くし、被吊下げ物を吊下げた後は短くして、高い位置に掛け止めた状態にすることができる。
【図面の簡単な説明】
【００２４】
【図１】実施形態の掛け止め具を有する吊下げ具を示す斜視図である。
【図２】掛け止め具が伸びた状態の吊下げ具を示す斜視図である。
【図３】掛け止め具が縮んだ状態を示す斜視図である。
【図４】掛け止め具が縮んだ状態を示す側面図である。
【図５】図４の一部側面図である。
【図６】掛け止め具が伸びた状態を示す斜視図である。
【図７】掛け止め具が伸びた状態を示す側面図である。
【図８】図７の一部側面図である。
【発明を実施するための形態】
【００２５】
以下、本発明を実施の形態に基づいて詳述する。以下、図に示した上下及び左右の方向を用いて説明する。
図１は実施形態の掛け止め具１を有する吊下げ具１１を示す斜視図、図２は掛け止め具１が伸びた状態の吊下げ具１１を示す斜視図である。掛け止め具１の伸縮については後述する。
吊下げ具１１は、掛け止め具１と、フレーム８，８と、複数の洗濯挟み９とを備える。フレーム８及び洗濯挟み９により保持部材１０が構成される。掛け止め具１の連結部材（張出部）７は、上に凸のアーチ状をなす。連結部材７には、両側に広がるように、長方形状をなすフレーム８，８が取り付けられている。連結部材７の両端部にはピン受け部７２，７２が設けられており、ピン受け部７２，７２のピン孔７２ａ，７２ａに挿通されたピン７３，７３の回動により、フレーム８，８は収納時に連結部材７側に折り畳むことができるように構成されている。
フレーム８，８に、複数の洗濯挟み９が吊下げられている。掛け止め具１のフック２は物干し竿１２に掛け止めされる。
【００２６】
図３は掛け止め具１が縮んだ状態を示す斜視図、図４は掛け止め具１が縮んだ状態を示す側面図、図５は図４の一部側面図、図６は掛け止め具１が伸びた状態を示す斜視図、図７は掛け止め具１が伸びた状態を示す側面図、図８は図７の一部側面図である。図３〜図８において、物干し竿１２は省略している。
掛け止め具１は、フック２と、支持部材３と、ロック部材４と、把持部材５と、バネ６と、前記連結部材７とを備える。
フック２は、外嵌部材２１と、支持体２２と、ピン２３と、取付部２４とを備える。外嵌部材２１はＣ字状をなし、物干し竿１２に外嵌される。支持体２２は０字の一方の直線部分の下部が欠落した形状をなし、所定の幅を有する。支持体２２は、内側が開口するＵ字断面形状を有する。取付部２４は丸軸の端面に半球を連設した形状を有し、支持体２２の下部の湾曲部に設けられている。
【００２７】
外嵌部材２１のＣ字の中央部の、幅方向の両側にはピン２３が突設されている。支持体２２の周方向の中央部には、ピン孔２２ａが設けられている。外嵌部材２１のピン２３が、ピン孔２２ａに挿通されている。外嵌部材２１のＣ字の上端部は支持体２２の上側の端部に挿入され、外嵌部材２１のＣ字の下端部は、支持体２２の０字の欠落部分に対向する部分の内側に収容されており、外嵌部材２１は支持体２２の内側で回動する。
【００２８】
支持部材３は、外筒３１と、第１内筒３２と、第２内筒３３とを備える。第１内筒３２及び第２内筒３３は、外筒３１に入れ子状態で収容されている。即ち、第１内筒３２、第２内筒３３、及び外筒３１は相互に嵌合している。外筒３１、第１内筒３２、及び第２内筒３３の長さは略等しい。第１内筒３２と第２内筒３３とは、連なった状態で外筒３１から延出する。
【００２９】
第２内筒３３の上端部には突起３３ａが、下端部には突起３３ｂが設けられている。図６及び図７に示すように、第１内筒３２及び第２内筒３３が延出したときに、突起３３ｂにより、第２内筒３３の下端部が第１内筒３２の上端部に係止されるので、第２内筒３３の端部が第１内筒３２内に向けて動くのが抑制される。図４に示すように、第１内筒３２及び第２内筒３３が外筒３１内に収容されたとき、突起３３ａにより、第２内筒３３の上端部が外筒３１の上端部に係止され、後述するロック部材４による係合と相まって、第２内筒３３の動きが禁止される。
【００３０】
前記連結部材７の本体７１は、外筒３１の周面における、径方向に対向する部分に、外向きに張り出すように設けられている。連結部材７の右側部分は、左側部分より曲率半径が小さく、内側には、手指で握ることができるように凹凸部７１ａが形成されている。使用者は凹凸部７１ａを握って、吊下げ具１１を持ち運んだり、上下に動かしたりすることができる。
連結部材７の左側部分の上面には、ドア掛け部７１ｂが嵌め込まれている。ドア掛け部７１ｂは、連結部材７の中央側部分を中心として揺動可能である。上方向の揺動によりドア掛け部７１ｂは開き、ドア掛け部７１ｂをドアの上面に引っ掛けることにより、吊下げ具１１をドアに係止することができる。
本体７１の両端部に、前後方向に延びる前記ピン受け部７２，７２が設けられている。上述したように、ピン受け部７２に設けられたピン孔７２ａにピン７３が挿通された状態で、フレーム８が回動する。
【００３１】
ロック部材４は側面視が逆三角形である火挟み状をなす。ロック部材４は、両端部が、外筒３１の周面の一部分に、該一部分を中心として揺動可能に支持されている。ロック部材４は、上部に、外向きに凹んだ凹部４ａを有する。ロック部材４は、図３〜図５に示す第１の位置と、図６〜図８に示す第２の位置との間で揺動する。第１の位置では、取付部２４が凹部４ａに包囲され、ロック部材４は第２内筒３３の周面に係合している。第２の位置では、この係合が解除されている。
なお、第１の位置で、ロック部材４は、第２内筒３３の上面に係合してもよい。また、ロック部材４と第２内筒３３との間に隙間があってもよく、第１の位置で、ロック部材４により第２内筒３３の延出を禁止するものであればよい。
【００３２】
前記一部分において、ロック部材４には把持部材５が設けられている。ロック部材４と把持部材５とは一体化されていてもよい。
把持部材５は、外面に複数の突起を有し、握り易くなっている。把持部材５は、連結部材７側の端部に係止部５ａを有し、係止部５ａと連結部材７の上側の内面側との間にはバネ６が架け渡されている。バネ６は、ロック部材４を第１の位置に付勢する。
【００３３】
図３〜図５の第１の位置から、把持部材５を握り、バネ６の付勢力に抗して把持部材５を外筒３１の周面に押圧することにより、ロック部材４は図６〜図８の第２の位置に移動し、ロック部材４と第２内筒３３との係合が解除される。
第２の位置では、第２内筒３３の係合が解除されているので、第１内筒３２及び第２内筒３３は連なった状態で、外筒３１から延出することができる。このとき、上述したように、突起３３ｂは第１内筒３２の上端部に係合し、第２内筒３３の動きが抑制される。
【００３４】
以上のように構成された吊下げ具１１を用いる場合、ロック部材４が図１に示す第１の位置にある状態で、使用者は外嵌部材２１を物干し竿１２に掛け止める。外嵌部材２１が回動することにより、物干し竿１２に外嵌部材２１が外嵌する。
把持部材５を把持し、外筒３１の周面に把持部材５が当接するように、把持部材５及び外筒３１を握り締める。
これにより、ロック部材４が第２の位置に動き、ロック部材４による第２内筒３３の係合が解除し、第１内筒３２及び第２内筒３３を外筒３１から延出することができ、図２に示すように掛け止め具１が長くなる。第２内筒３３の突起３３ａが第１内筒３２の上端部に係止されるので、動作中に掛け止め具１が縮むことはない。フレーム８及び洗濯挟み９が下がるので、洗濯挟み９に洗濯物を吊下げ保持し易くなる。
【００３５】
洗濯物を吊下げた後、外筒３１を上げて第１内筒３２及び第２内筒３３を外筒３１内に収容し、把持部材５を上げてロック部材４を第１の位置まで動かし、ロック部材４を第１内筒３２に係合する。掛け止め具１は短くなった状態で固定される。吊下げ具１１全体が上がるので、邪魔にならず、通行の妨げにならず、洗濯物の乾きも良くなる。
本実施形態の掛け止め具１によれば、容易に伸縮可能であり、長くして被吊下げ物を吊下げ易くし、被吊下げ物を吊下げた後は短くして、高い位置に掛け止めた状態にすることができる。
なお、ロック部材４が第１の位置にあるときに、洗濯挟み９に洗濯物を吊下げ保持し、掛け止め具１を伸ばしてフック２を物干し竿１２に掛け止めした後、掛け止め具１を短くして吊下げ具１１を上げ、ロック部材４を第２の位置にして第２内筒３３に係合して固定することにしてもよい。
【００３６】
今回開示した実施形態は、全ての点で例示であって、制限的なものではないと考えられるべきである。実施形態にて記載されている技術的特徴は互いに組み合わせることができ、本発明の範囲は、特許請求の範囲内での全ての変更及び特許請求の範囲と均等の範囲が含まれることが意図される。
【００３７】
例えば、前記実施形態においては、棒体として、物干し竿１２に掛け止め具１を掛け止めする場合につき説明しているが、これに限定されるものではなく、クローゼットの水平方向に延びるバー等に掛け止め具１を係止することにしてもよい。また、吊下げ具１１は洗濯物等の布体を吊るす場合には限定されず、シート、フィルム、食品等の被吊下げ物を吊るして乾燥させることができる。
掛け止め具１は、長方形状のフレーム８に取り付けられる場合に限定されず、三角形状のハンガー、又は円状のフレームに取り付けられるものであってもよい。
【符号の説明】
【００３８】
１  掛け止め具
２  フック
３  支持部材
４  ロック部材
５  把持部材
６  バネ
７  連結部材
２１  外嵌部材
２２  支持体
２３  ピン
２４  取付部
３  支持部材
３１  外筒
３２  第１内筒
３３  第２内筒
７１ａ  凹凸部
７１ｂ  ドア掛け部
８  フレーム
９  洗濯挟み
１０  保持部材
１１  吊下げ具
【図１】
2020018564.tif 000003
【図２】
2020018564.tif 000004
【図３】
2020018564.tif 000005
【図４】
2020018564.tif 000006
【図５】
2020018564.tif 000007
【図６】
2020018564.tif 000008
【図７】
2020018564.tif 000009
【図８】
2020018564.tif 000010